(57)【要約】【課題】抜け画像の発生を抑えることができる画像形成装置、画像形成方法及びプログラムを提供する。【解決手段】出力対象の画像を形成する前に、ハーフトーン画像とベタ画像を隣接配置して印刷されたテスト画像、あるいは、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像のいずれかの画像のハーフトーン部からベタ部にかけての特性変化に応じて画像形成条件を変更し、変更した画像形成条件を基に画質調整を行う。【選択図】図１
2011059625.tif 000002
【特許請求の範囲】
【請求項１】
出力対象の画像を形成する前に、所定の画像のハーフトーン部からベタ部にかけての特性変化に応じて画像形成条件を変更し、
変更した画像形成条件を基に画質調整を行うことを特徴とする画像形成装置。
【請求項２】
前記画像は、ハーフトーン画像とベタ画像を隣接配置して印刷されたテスト画像であり、
前記テスト画像のハーフトーン部からベタ部にかけての特性変化に応じて、前記画像形成条件を変更することを特徴とする請求項１記載の画像形成装置。
【請求項３】
前記画像は、ハーフトーン画像とベタ画像を隣接配置したテスト潜像をトナーで可視化し、前記トナー像を記録材へ転写する前に検出し、前記トナー像と前記記録材の特性値を基に前記記録材上に転写されたトナー像として推定された推定画像であり、
前記推定画像のハーフトーン部からベタ部にかけての特性変化に応じて、前記画像形成条件を変更することを特徴とする請求項１記載の画像形成装置。
【請求項４】
前記特性変化は、画像濃度変化、明度変化、色特性の変化のいずれかであることを特徴とする請求項１から３のいずれか１項に記載の画像形成装置。
【請求項５】
前記画像形成条件は、現像スリーブ回転数、現像スリーブ表面と現像剤規制部材先端との間隔、現像スリーブ表面と感光体表面との間隔のいずれかであることを特徴とする請求項１から４のいずれか１項に記載の画像形成装置。
【請求項６】
前記画像形成条件は、変更可能な条件項目が複数種類あり、ユーザが、変更を所望する条件項目を選択できることを特徴とする請求項１から５のいずれか１項に記載の画像形成装置。
【請求項７】
前記記録材は、有彩色の記録材であることを特徴とする請求項１から６のいずれか１項に記載の画像形成装置。
【請求項８】
出力対象の画像を形成する前に、ハーフトーン画像とベタ画像を隣接配置して印刷されたテスト画像、あるいは、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像のいずれかの画像のハーフトーン部からベタ部にかけての特性変化に応じて画像形成条件を変更し、変更した画像形成条件を基に画質調整を行うことを特徴とする画像形成方法。
【請求項９】
出力対象の画像を形成する前に、ハーフトーン画像とベタ画像を隣接配置して印刷されたテスト画像、あるいは、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像のいずれかの画像のハーフトーン部からベタ部にかけての特性変化に応じて画像形成条件を変更し、変更した画像形成条件を基に画質調整を行う処理をコンピュータに実行させることを特徴とするプログラム。
【発明の詳細な説明】
【技術分野】
【０００１】
本発明は、複写機、レーザビームプリンタなどの画像形成装置、画像形成方法及びプログラムに関する。
【背景技術】
【０００２】
ハーフトーン画像上にベタ画像や文字、ラインなどが存在する場合（ハーフトーン画像部とベタや文字、ラインとの色を構成するトナー色に同じものがある場合）、ベタ部の周りが白く抜ける場合がある。
【０００３】
ベタ画像隣接部のハーフトーン白抜けは次のようにして発生する。ベタ画像とハーフトーン画像とが隣接している画像において、エッジ効果によってハーフトーン画像端部の現像電界が弱まり、ハーフトーン側のトナーがベタ画像エッジ部に付着する。これにより、ハーフトーン画像端部が白抜けしてしまう。
【０００４】
このような白抜け画像を発生させないために、例えば引用文献１や引用文献２のようにプロセス条件が検討されている。引用文献１の発明では、キャリア粒径やマグの磁化とプロセススピードを規定し、白抜けが発生しにくい条件としている。引用文献２の発明では、現像ローラと感光体との間隔や、現像ローラ上の単位面積あたりの現像剤量、感光体と現像ローラの線速比を規定し、白抜けが発生しにくい画像形成条件（以下、条件という）としている。
【０００５】
しかし、このように白抜けが発生しにくい条件に固定すると、経時変化や機械の使用状態により白抜けが発生する場合がある。また、白抜け発生状態も変化する。
【０００６】
そこで、例えば引用文献３のように、条件を固定せずに画像に応じて条件を変更するものがある。引用文献３の発明では、画像データ（画像濃度に比例した信号）に基づき、濃度変化を検出し、ハーフトーンとベタが近接する場合に、ハーフトーン部の濃度を調整するように露光量を補正し、白抜けによる画像欠陥をなくしている。
【発明の概要】
【発明が解決しようとする課題】
【０００７】
引用文献３の発明は潜像電位差を読み取るものであるが、潜像電位差が同じであっても画像処理や色により実画像での白抜けの状態は変わってくる。例えば、画像処理が施される画像は画像処理をしない画像に比べて白抜けが目立ちにくくなる。また、例えば、白色の記録材にイエロー画像とブラック画像がある場合には、イエロー画像のほうが白抜けは目立ちにくくなる。
【０００８】
また、経時や環境によって白抜け状態は変化する。すなわち、潜像電位差が同じであっても、現像プロセスやその後のプロセスにおいて白抜け状態が変わる可能性がある。例えば、高温高湿環境下ではチリが少ないために白抜けが目立ちやすい画像になったり、記録紙の吸湿により転写性が悪化し、白抜けが目立ちにくくなったりするなどである。
【０００９】
本発明は、上記事情に鑑みてなされたものであり、従来の方法に比べてより効果的に白抜け画像の発生を抑えることができる画像形成装置、画像形成方法及びプログラムを提供することを目的とする。
【課題を解決するための手段】
【００１０】
かかる目的を達成するために、本発明の画像形成装置は、出力対象の画像を形成する前に、所定の画像のハーフトーン部からベタ部にかけての特性変化に応じて画像形成条件を変更し、変更した画像形成条件を基に画質調整を行うことを特徴とする。
【００１１】
また、本発明の画像形成装置において、画像は、ハーフトーン画像とベタ画像を隣接配置して印刷されたテスト画像であり、テスト画像のハーフトーン部からベタ部にかけての特性変化に応じて、画像形成条件を変更することを特徴とする。
【００１２】
また、本発明の画像形成装置において、画像は、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像であり、推定画像のハーフトーン部からベタ部にかけての特性変化に応じて、画像形成条件を変更することを特徴とする。
【００１３】
また、本発明の画像形成装置において、特性変化は、画像濃度変化、明度変化、色特性の変化のいずれかであることを特徴とする。
【００１４】
また、本発明の画像形成装置において、画像形成条件は、現像スリーブ回転数、現像スリーブ表面と現像剤規制部材先端との間隔、現像スリーブ表面と感光体表面との間隔のいずれかであることを特徴とする。
【００１５】
また、本発明の画像形成装置において、画像形成条件は、変更可能な条件項目が複数種類あり、ユーザが、変更を所望する条件項目を選択できることを特徴とする。
【００１６】
また、本発明の画像形成装置において、記録材は、有彩色の記録材であることを特徴とする。
【００１７】
本発明の画像形成方法は、出力対象の画像を形成する前に、ハーフトーン画像とベタ画像を隣接配置して印刷されたテスト画像、あるいは、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像のいずれかの画像のハーフトーン部からベタ部にかけての特性変化に応じて画像形成条件を変更し、変更した画像形成条件を基に画質調整を行うことを特徴とする。
【００１８】
本発明のプログラムは、出力対象の画像を形成する前に、ハーフトーン画像とベタ画像を隣接配置して印刷されたテスト画像、あるいは、ハーフトーン画像とベタ画像を隣接配置したテスト潜像をトナーで可視化し、トナー像を記録材へ転写する前に検出し、トナー像と記録材の特性値を基に記録材上に転写されたトナー像として推定された推定画像のいずれかの画像のハーフトーン部からベタ部にかけての特性変化に応じて画像形成条件を変更し、変更した画像形成条件を基に画質調整を行う処理をコンピュータに実行させることを特徴とする。
【発明の効果】
【００１９】
本発明によれば、従来の方法に比べてより効果的に白抜け画像の発生を抑えることができる画像形成装置、画像形成方法及びプログラムを提供可能となる。
【図面の簡単な説明】
【００２０】
【図１】本発明の一実施形態に係る画像形成装置で用いられるテスト画像・テスト潜像の各例を示す図である。
【図２】本発明の一実施形態に係る画像形成装置で行われる、白抜け状態を検出する方法の各例を説明する図である。
【図３】本発明の一実施形態に係る画像形成装置で行われる、現像スリーブ表面と現像剤規制部材先端との間隔（ＤＧ）を変更する方法の一例を説明する図である。
【図４】本発明の一実施形態に係る画像形成装置で行われる、現像スリーブ表面と感光体表面との間隔（ＰＧ）を変更する方法の一例を説明する図である。
【図５】本発明の一実施形態に係る画像形成装置の実験例１の動作を示すフローチャートである。
【図６】本発明の一実施形態に係る画像形成装置の実験例２〜６の動作を示すフローチャートである。
【図７】本発明の一実施形態に係る画像形成装置の各実験例２〜６における、条件変更による白抜け状態の変化傾向を示すグラフである。
【図８】本発明の一実施形態に係る画像形成装置の実験例７、８の動作を示すフローチャートである。
【図９】本発明の一実施形態に係る画像形成装置の各実験例９〜１４における、条件変更による白抜け状態の変化傾向を示すグラフである。
【図１０】本発明の一実施形態に係る画像形成装置の構成例を示す図である。
【発明を実施するための形態】
【００２１】
以下、本発明を実施するための形態（実施形態）について添付図面を参照して詳細に説明する。
【００２２】
本発明の一実施形態としての画像形成装置について、図１０を参照して説明する。回転可能に支持されて矢印方向（時計回り）に回転する感光体１の外周部には、除電装置Ｌと、クリーニング装置２と、帯電装置３と、現像装置５とが配設されている。感光体１の外周部における帯電装置３と現像装置５との間には、露光装置４から発せられる光情報を入射させるスペースが確保されている。
【００２３】
図１０に示す構成では感光体１が４個（１ａ，１ｂ，１ｃ，１ｄ）あるが、現像装置５が扱うトナーの色が異なるのみであり、それぞれの外周部に設けられる画像形成用の上述した部品構成は同じである。現像装置５が扱う色は、例えば、Ｃ（シアン）、Ｙ（イエロー）、Ｍ（マゼンタ）、Ｋ（ブラック）であり、図１０の構成ではモノクロ及びカラーの画像形成が可能である。
【００２４】
感光体１は、直径が３０ｍｍから１００ｍｍ程度のアルミニュム円筒表面に、光導電性物質である有機半導体の層を設けて構成され、その一部が中間転写ベルト（第１の顕像担持手段）１０に接している。
【００２５】
中間転写ベルト１０は、回転するローラ１１、１２、１３により支持され、矢印方向に移動可能に張架されている。この中間転写ベルト１０の裏側（ループの内側）には、第１の転写手段２０が感光体１の近傍に配備され、感光体１上の潜像を中間転写ベルト１０に転写させる。
【００２６】
中間転写ベルト１０のベルトループの外側における、中間転写ベルト１０から顕像（トナーによる像：トナー像）を用紙または裏面用中間転写ベルト（第２の顕像担持手段）１００に転写する位置の下流に、中間転写ベルト用クリーニング装置２５が配設されている。このクリーニング装置２５は、中間転写ベルト１０から顕像が他に転写された後で、ベルト表面に残留する不要なトナーを拭い去る。
【００２７】
露光装置４は公知のレーザ方式によるもので、フルカラー画像形成に対応した光情報を、一様に帯電された感光体１表面に潜像として照射する。この露光装置４としては、ＬＥＤアレイと結像手段とから成る露光装置を用いてもよい。
【００２８】
このように、上述した感光体１と、クリーニング装置２と、帯電装置３と、露光装置４と、現像装置５と、除電装置Ｌと、第１の転写手段２０とが、中間転写ベルト１０に転写する顕像を生成する作像手段Ｇとして機能する。
【００２９】
中間転写ベルト１０は、基体の厚みが５０μｍ乃至６００μｍの樹脂フィルムあるいはゴムを基体にしたベルトであり、感光体１からトナーを転写可能とする抵抗値を備える。
【００３０】
この中間転写ベルト１０に対して図１０の右方には、ベルト状の裏面用中間転写ベルト（第２の顕像担持手段）１００が配設されている。この裏面用中間転写ベルト１００は、回転ローラ１１１、１１２、１１３により支持され、矢印方向に移動可能に張架されており、裏側（ループの内側）には、第２の転写手段１２０が配設されている。裏面用中間転写ベルト１００によるベルトループの外側に、この裏面用中間転写ベルト用クリーニング装置２５０、チャージャＣＨ、などが配設されている。
【００３１】
クリーニング装置２５０は、用紙にトナーを転写した後、裏面用中間転写ベルト１００上に残留する不要のトナーを拭い去る。
【００３２】
上述した第２の転写手段１２０と、ローラ１１３と、中間転写ベルト１０を支持するローラ１１とにより、中間転写ベルト１０と裏面用中間転写ベルト１００とは接触し、予め定められた転写ニップを形成する。
【００３３】
裏面用中間転写ベルト１００は、基体の厚みが５０μｍ乃至６００μｍの樹脂フィルムあるいはゴムを基体にしたベルトで、中間転写ベルト１０からトナーを転写可能とする抵抗値を備えるベルトである。
【００３４】
用紙Ｐは、例えば有彩色の記録材であり、図の下方の給紙装置（給紙カセット）２６−１、２６−２に収納されており、最上にある用紙が給紙ローラ２７で１枚づつ、複数のガイド２９を経てレジストローラ対２８に搬送される。
【００３５】
用紙Ｐが搬送されるさらに下流には、定着用加熱手段３０、排紙ガイド対３１、排紙ローラ対３２、排紙スタック部４０が配設されている。
【００３６】
図１０における中間転写ベルト１０の上方で排紙スタック部４０の下方には、補給用のトナーが収納できる収納部ＴＳが設けてある。トナーの色は、上述したようにシアン、イエロー、マゼンタ、ブラックの４色があり、カートリッジＴＣの形態にされている。このカートリッジＴＣからは、粉体ポンプ等により対応する色の現像装置に適宜補給される。
【００３７】
こうした装置本体の一部であるフレーム５０は、開閉支軸５０Ａを中心として、回動・開放が可能な構造にされている。このため、ユーザはこのフレーム５０を開いた状態とすることにより用紙の搬送路を大きく開くことができ、ジャムが発生した場合の用紙の処理を容易にしている。
【００３８】
また、上述した用紙Ｐへの画像形成を行う装置本体の上部に画像読取手段６０が支持部６６を介して連設され、この画像読取手段６０により読み取られた画像データを上述した装置本体が用紙Ｐに印刷することで、コピー動作を可能にするよう構成されている。
【００３９】
この画像読取手段６０は、自動原稿送り装置（ＡＤＦ：Auto Document Feeder）６１と、コンタクトガラス６２と、露光ランプ６３と、露光ランプ６３による原稿画像からの反射光を反射させて所定の光路に導く複数の反射ミラー６４と、導かれた反射光を受光するイメージセンサアレイ６５とを備え、原稿画像の片面または両面を自動原稿送り装置６１により自動的にコンタクトガラス６２上に読み取り可能にセットして読み取ることができるように構成されている。
【００４０】
画像読取手段６０の外周部には、操作表示部（図示せず）が設けられている。この操作表示部は、ユーザに各種の操作情報を表示により通知すると共に操作入力を受けるタッチパネルや、テンキーなど各種のボタンを備える。ユーザは、この操作・入力部により、画質調整の設定・指示、画像形成条件の設定・変更（例えば、コピー（印刷）の片面／両面切り替え、コピーの倍率、フルカラーコピー又はモノクロコピーの選択、コピー枚数の設定など）、コピー動作の開始、コピー機能とプリンタ機能との切り替えなどの各種操作を行う。
【００４１】
なお、図１０に示していないが、図１０に示す各部・各手段・各装置を制御して所定の機能を実行するための制御部（例えばCPU:Central Processing Unit）や、固定データ（例えば、各種機能を実行するためのプログラム）や一時データ等を格納するメモリ部（例えばROM:Read Only Memory、RAM:Random Access Memory）を備える。これら制御部及びメモリ部により、下記に説明する本実施形態の処理動作が実行される。
【００４２】
次に、上記のように構成された画像形成装置の実施形態１、２について、それぞれ説明する。
【００４３】
〔第１の実施形態〕
第１の実施形態について説明する。本実施形態の画像形成装置は、出力対象の画像形成の前に、テスト画像のハーフトーン部からベタ部にかけての特性変化に応じて、画像形成条件を変更することを特徴とする。上記テスト画像とは、ハーフトーン画像とベタ画像を隣接配置して印刷された画像である。
【００４４】
〈テスト画像の構成〉
まず、本実施形態の画像形成装置で用いるテスト画像の構成について説明する。テスト画像は、例えば図１（ａ）〜（ｅ）に示すように、ベタ部とハーフトーン部が隣接するものである。特に、像担持体の進行方向に対して、ハーフトーン部がベタ部の前になる画像が好ましい。より好ましくは、図１（ｂ）〜（ｅ）のようにハーフトーン部の内部にベタパッチが存在するものである。これにより、最も厳しいベタ部手前の白抜け状態だけでなく、左右、および後方の白抜け状態も把握することができる。
【００４５】
ハーフトーン部は網点画像である。網点画像は、得ようとする画像と同じ画素で作られるものが好ましい。実画像よりも画素数が小さくなると白抜けが目立ちにくくなり、条件変更に反映されず、白抜け画像が発生する場合がある。逆に実画像よりも画像数が大きい場合には、白抜けが目立つようになり、条件変更に伴う副作用が発生しやすくなる。
【００４６】
また、網点画像としては、１ドット×１ドット、２ドット×２ドット、４ドット×４ドットなどがあるが、１ドット×１ドット画像がより好ましい。ドット間が拡がると、白抜けとドット間との区別をしにくくなる。
【００４７】
テスト画像は、単色または複数色で作成される。図１（ａ）〜（ｃ）は、ブラック（Ｋ）の単色で作成された例であり、図１（ｄ）〜（ｅ）は、シアン（Ｃ）、マゼンダ（Ｍ）、イエロー（Ｙ）、ブラック（Ｋ）の複数色で作成された例である。
【００４８】
〈テスト画像の印刷〉
テスト画像の印刷は、実際の画像の印刷前に実施される。テスト画像の印刷指示は、ユーザにより、画像形成装置に設けられた操作表示部において、指示ボタンや操作画面内の項目選択などから行われる。テスト画像が印刷される記録材は、実際の画像の印刷と同じものが好ましい。
【００４９】
〈テスト画像の白抜け状態検出〉
テスト画像の白抜け状態は、ハーフトーン部からベタ部にかけての特性値変化を調べることにより検出する。特性値としては、画像濃度、反射率、明度、光沢度、色特性などがあるが、特に画像濃度、明度、色特性が、見た目の状態に近い結果となりやすいことから好ましい。
【００５０】
この白抜け状態の検出は、画像形成装置とは別の外部検出器を用いてもよいし、画像形成装置に検出部を備え、そこで検出してもよい。外部検出器の例としては、ＣＣＤ（Charge Coupled Dvice）カメラや色彩色差計などがある。画像形成装置に備えられる検出部の例としては、白抜け状態専用の検出部を設けてもよいし、スキャナから画像を読み込んで検出してもよい。
【００５１】
ここで、白抜け状態の検出方法について例をあげて説明する。
【００５２】
［画像濃度変化から白抜け状態を検出する方法の例］
ベタエッジ部分を含むハーフトーン部をＣＣＤカメラで撮影し、この画像を読み込みローパスフィルタで網点を除去する。ついでエッジ部の傾きを補正し、エッジストローク方向に画像を平均化（一次元化）し、これを図２−１（ｂ）のように画像濃度分布に変換する。この分布から、白抜け幅Ｗ（白抜け状態を判断する値：白抜け値）を読み取る。
【００５３】
［明度変化から白抜け状態を検出する方法の例］
ベタエッジ部分を含むハーフトーン部をＣＣＤカメラで撮影し、この画像を読み込みローパスフィルタで網点を除去する。ついでエッジ部の傾きを補正し、エッジストローク方向に画像を平均化（一次元化）し、これを図２−２（ｂ）のように明度分布に変換する。この分布から、白抜け面積ＳL（白抜け値）を算出する。
【００５４】
以上のように検出された結果（白抜け値）は、例えば、ユーザによる操作表示部からのテンキー入力や、通信等による画像形成装置への自動読み込みなどにより、画像形成装置の制御部に認識される。制御部は、例えば、検出された白抜け値を予め定められた値（閾値）と比較し、白抜け状態が悪いかどうかを判断する。
【００５５】
例えば、検出された白抜け値が閾値を上回るなどして、白抜け状態が悪いと判断された場合には、白抜けを改善するための条件（画像形成条件の一例）の変更が実施される。ここで、変更される条件としては、例えば、現像スリーブと感光体との線速比、画像の線数、ディザ処理の方法、などがある。各条件について以下に説明する。
【００５６】
［現像スリーブと感光体との線速比］
現像スリーブの駆動モータの回転数（現像スリーブ回転数）を変更することにより、現像スリーブと感光体との線速比を変更する。
【００５７】
上記線速比は、現像スリーブ表面線速を感光体表面線速で割った値である。この値を小さくすると白抜けが改善する方向となる。変更量は初期設定値対して３０％を超えないことが好ましい。変更量が大きすぎると、副作用が発生しやすくなる。
【００５８】
［現像スリーブ表面と現像剤規制部材先端との間隔］
現像剤規制部材を動かすことにより、現像スリーブ表面と現像剤規制部材先端との間隔（ＤＧ）を変更する。この変更方法の一例を図３（ａ）、（ｂ）に示す。図３（ａ）、（ｂ）に示すように、例えば、現像剤規制部材の現像スリーブ側と逆の先端に、画像形成装置本体と接続可能な接続部があり、画像形成装置には現像剤規制部材を動かすねじ状の回転軸がある。現像ユニットが画像形成装置に装着されると、接続部で現像剤規制部材を回転軸が接続し、回転軸の動きによって現像剤規制部材が現像スリーブ表面に近づいたり遠ざかったりして、ＤＧを変更する。なお、現像スリーブ表面と現像剤規制部材先端との間隔（ＤＧ）を変更することにより、現像スリーブ上の現像剤密度が変更される（現像スリーブ上の単位面積あたりの現像剤量（汲み上げ量）が変更される）。
【００５９】
上記ＤＧは、大きくすると現像スリーブ表面の単位面積当たりの現像剤量が多くなり、白抜けが改善する方向となる。しかし大きすぎると、現像剤規制部材への現像剤やトナーの固着が発生しやすくなったり、感光体フィルミングが発生しやすくなったりするため、ＤＧ変更量は初期設定値に対して３０％を超えないことが好ましい。
【００６０】
［現像スリーブ表面と感光体表面との間隔］
現像スリーブの軸位置を変更することにより、現像スリーブ表面と感光体表面との間隔（ＰＧ）を変更する。この変更方法の一例を図４（ａ）、（ｂ）に示す。図４（ａ）、（ｂ）に示すように、現像スリーブの軸位置を固定する面板（現像スリーブ軸固定面板）と感光体の軸位置を固定する面板（感光体軸固定面板）は、それぞれ別々であるが、現像スリーブ軸固定面板がスライドして感光体軸固定面板と組み合わさり、一体化できるようになっている。現像スリーブ軸固定面板は、その背面にスライドさせるための回転軸がついていて、回転軸の動きにより、現像スリーブの軸位置と感光体の軸位置とが近づいたり離れたりするようになっている。この動きにより、現像スリーブ表面と感光体表面との間隔を変更する。
【００６１】
上記ＰＧは、小さくすると白抜けが改善する方向となる。しかし、小さすぎると副作用が発生しやすくなるため、ＰＧは０.１５を下回らないことが好ましい。ＰＧが小さくなりすぎると、僅かな偏差が画像濃度偏差に現れやすくなる。あるいは、感光体に傷がつきやすくなるなどの副作用が発生しやすくなる。
【００６２】
上述した条件は、白抜け改善効果が大きいため、僅かな変更で白抜けを改善することができる。
【００６３】
画像の線数は、小さくすると白抜けが改善する方向となる。しかし、小さすぎると解像度が悪くなるため、変更しても初期設定値の５０%を下回らないことが好ましい。
【００６４】
ディザ処理の方法は、ドットディザをラインディザに変更、又はその逆の、ラインディザをドトディザに変更するなどがある。画像により白抜け状態が良くなる処理方法が異なるため、白抜け状態の良いほうを選択する。
【００６５】
なお、上記条件は、１種類あればよいが、複数種類ある方が好ましく、場合により条件をユーザが選択できることが好ましい。条件変更によっては、何らかの副作用を伴うこともあるが、ユーザが、変更する条件を選択できることにより、ユーザが避けたい副作用をできるだけ少なくして、白抜け発生を抑えた画像を得ることができる。条件変更がユーザにより設定されると、必要に応じて変更後の条件に合わせた調整（トナー濃度調整や付着量調整など）が行われる。その後、そのまま実際の画像を印刷することが可能であるが、その前に、条件変更後の状態でテスト画像を印刷し、白抜け状態を確認してもよい。
【００６６】
以下、本実施形態の画像形成装置を用いて行った各実験例について、図５〜図８を参照して説明する。なお、以下の各例で使用された本実施形態の画像形成装置は、各種画像を１００Ｋ枚印刷した後の状態から評価に使用している。
【００６７】
〈実験例１〉
図５は、本例の流れを示すフローチャートである。下記条件のユニットを本実施形態の画像形成装置に装着した後、モノクロ印刷モードに設定し、操作表示部に表示される画質設定画面（画質調整の各種設定を行うための画面）において、「白抜け改善」という項目を選択し（Ｓ１）、図１（ｃ）のテスト画像を印刷した（Ｓ２）。
現像スリーブ径  ３０ｍｍ
現像スリーブ回転数  ５３５ｒｐｍ
感光体径  ７０ｍｍ
感光体回転数  １１５ｒｐｍ
現像スリーブ表面と現像剤規制部材端部との間隔ＤＧ  ０.４ｍｍ
感光体表面と現像スリーブ表面の距離ＰＧ  ０.４ｍｍ
【００６８】
次に、このテスト画像をＣＣＤカメラで撮影し、画像形成装置に入力した。その後、画像測定により、撮影した画像の画像濃度分布から白抜け幅が算出された（Ｓ３）。その結果、テスト画像の白抜け幅（白抜け値）は０.４９ｍｍであった。
【００６９】
次に、上記白抜け値を操作表示部の指定箇所に入力し「実行」を選択すると、白抜け状態判断が行われた（Ｓ４）。上記白抜け幅０．４９は、予め定められた閾値Ｂ以上であったので（Ｓ４／Ｎｏ）、条件変更（画像形成条件の変更）が行われ、適正な画像濃度が得られるような調整が行われた（Ｓ６）。この条件変更では、現像スリーブの回転数の変更が行われ、変更後の現像スリーブの回転数は４５５ｒｐｍとなった。そして、この回転数に基づいて調整が行われた。なお、上記白抜け状態判断で、算出された白抜け幅が予め定められた閾値Ｂより小さい場合は（Ｓ４／Ｙｅｓ）、条件変更は行われず、実際の画像の印刷が実行可能となる。
【００７０】
その後、実際の画像の印刷を行った（Ｓ５）。印刷の結果得られた画像は、白抜けがない良好な画像であった。
【００７１】
〈実験例２〉
図６は、本例の動作の流れを示すフローチャートである。本例の画像形成装置では、実験例１と同様に条件変更後に適正な画像濃度が得られるような調整を行った後（Ｓ１６）、テスト画像を自動的に印刷するようになっている（Ｓ１２）。すなわち、テスト画像の印刷から条件変更後の調整まで実施したところで（Ｓ１２、Ｓ１３、Ｓ１４／Ｎｏ、Ｓ１６）、調整後のテスト画像が出力される（Ｓ１２）。調整後のテスト画像の白抜け幅が実験例１と同様に算出されると、その白抜け幅は０.２８ｍｍであった（Ｓ１３）。この値を操作画面上の指定箇所に入力し「実行」を選択すると、条件変更することなく白抜け改善設定が終了した（Ｓ１４／Ｙｅｓ）。つまり、白抜け幅０．２８は、予め定められた閾値Ａよりも小さい値であったということになる。その後に実際の画像の印刷を行った（Ｓ１５）。得られた画像は白抜けがない良好な画像であった。
【００７２】
なお、本例における、条件変更による白抜け状態の変化傾向（線速比（現像スリーブ回転数）と白抜け状態の関係）を図７（ａ）に示す。図７（ａ）に示すように、条件変更前の白抜け幅（ブラック）は破線で示す許容値（閾値）を超えていたが、条件変更後の調整により許容値内に収まったことが分かる。
【００７３】
〈実験例３〉
現像スリーブ径  ２５ｍｍ
現像スリーブ回転数  ３９２ｒｐｍ
感光体径  ６０ｍｍ
感光体回転数  ９０ｒｐｍ
現像スリーブ表面と感光体表面との間隔ＰＧ  ０.３ｍｍ
現像スリーブ表面と現像剤規制部材表面の間隔ＤＧ  ０.３２ｍｍ
現像スリーブ上の現像剤量  ４０ｍｇ／ｃｍ^２
本例の画像形成装置は、上記条件のユニットを装着し、フルカラー印刷モードに設定し、操作画面内に画質設定項目として「白抜け改善」を選択できるものであり、白抜け改善として、現像スリーブの回転数を変更することができるものである。
【００７４】
図６は、本例の動作の流れを示すフローチャートである。画像形成装置の操作画面から「白抜け改善」を選択して（Ｓ１１）、図１（ｄ）のテスト画像を印刷した（Ｓ１２）。
【００７５】
操作表示部には、印刷したテスト画像をコンタクトガラス上に置いて読み取らせるように指示されるので、そのようにしてテスト画像を読み込ませた。読み込ませたテスト画像の各色パッチの明度分布から、各色の白抜け値が算出された（Ｓ１３）。このときの白抜け値は、ブラック１．９２、マゼンタ１.２１、シアン１.４０、イエロー０.０３であった。
【００７６】
この結果に基づいて、イエロー以外は現像スリーブの回転数が変更された（Ｓ１４／Ｎｏ、Ｓ１６）。つまり、これらの値はいずれも閾値Ａ以上であったため、条件変更が行われたということである。変更後の現像スリーブの回転数は、ブラックが３１４ｒｐｍ、シアンが３８８ｒｐｍ、マゼンタが３８８ｒｐｍとなり、感光体線速に対して現像スリーブ線速が小さくなる方向である。
【００７７】
この回転数で適正な画像濃度が得られるような調整が行われると（Ｓ１６）、再びテスト画像が印刷される（Ｓ１２）。１回目のテスト画像印刷後と同様にテスト画像をコンタクトガラス上に置いて画像を読み込むと、操作表示部に白抜け値の算出及び白抜け状態判断が終了したことが表示された（Ｓ１３、Ｓ１４／Ｙｅｓ）。このときの白抜け値は、ブラック０.９４、マゼンタ０.９１、シアン０.７８、イエロー０.０３であった。つまり、これらの値はいずれも閾値Ａより小さいため、条件変更が行われずに、白抜け改善設定が終了したということである。
【００７８】
その後に実際の画像の印刷を行った（Ｓ１５）。得られた画像は白抜けがない良好な画像であった。
【００７９】
なお、本例における、条件変更による白抜け状態の変化傾向（線速比（現像スリーブ回転数）と白抜け状態の関係）を図７（ｂ）に示す。図７（ｂ）に示すように、条件変更前の各白抜け幅（イエロー以外）は破線で示す許容値（閾値）を超えていたが、条件変更後の調整により許容値内に収まったことが分かる。
【００８０】
〈実験例４〉
本例の画像形成装置は、実験例３と同じ条件のユニットを装着した画像形成装置で、フルカラー印刷モードに設定し、操作画面内に画質設定項目として「白抜け改善」を選択できるものであり、白抜け改善として、現像剤規制部材先端と現像スリーブ表面との間隔を変更することができるものである。
【００８１】
図６は、本例の動作の流れを示すフローチャートである。上記画像形成装置で、実験例３と同様に、「白抜け改善」を選択した後（Ｓ１１）、テスト画像を印刷し（Ｓ１２）、テスト画像の各色パッチの白抜け値を算出した（Ｓ１３）。このときの白抜け値は、ブラック１．９０、マゼンタ０.８６、シアン１．６５、イエロー０.０３であった。この結果に基づいてブラックとシアンユニットの現像剤規制部材が動いて、現像剤規制部材先端と現像スリーブ表面との間隔ＤＧが変更された（Ｓ１４／Ｎｏ、Ｓ１６）。つまり、これらの値はいずれも閾値Ａ以上であったため、条件変更が行われたということである。
【００８２】
変更後の間隔ＤＧは、ブラック０.４３ｍｍ、シアン０.４０ｍｍであり、間隔ＤＧが広くなり、現像スリーブ上の現像剤量が多くなる方向である。この現像剤量で適正な画像濃度が得られるように調整が行われると（Ｓ１６）、再びテスト画像が印刷される（Ｓ１２）。１回目のテスト画像印刷後と同様にテスト画像をコンタクトガラス上に置いて画像を読み込むと、操作表示部に白抜け値の算出及び白抜け状態判断が終了したことが表示された（Ｓ１３、Ｓ１４Ｙｅｓ）。このときの白抜け値は、ブラック０.９３、マゼンタ０.８７、シアン０.８９、イエロー０.０１であった。つまり、これらの値はいずれも閾値Ａより小さいため、条件変更が行われずに、白抜け改善設定が終了したということである。
【００８３】
その後に実際の画像の印刷を行った（Ｓ１５）。得られた画像は白抜けがない良好な画像であった。
【００８４】
なお、本例における、条件変更による白抜け状態の変化傾向（ＤＧと白抜け状態の関係）を図７（ｃ）に示す。図７（ｃ）に示すように、条件変更前の各白抜け幅（ブラック、シアン）は破線で示す許容値（閾値）を超えていたが、条件変更後の調整により許容値内に収まったことが分かる。
【００８５】
〈実験例５〉
現像スリーブ径  ２５ｍｍ
現像スリーブ回転数  ４３０ｒｐｍ
感光体径  ６０ｍｍ
感光体回転数  １１２ｒｐｍ
現像スリーブ表面と感光体表面との間隔ＰＧ  ０.３ｍｍ
現像スリーブ表面と現像剤規制部材表面の間隔ＤＧ  ０.３８ｍｍ
現像スリーブ上の現像剤量  ３８ｍｇ／ｃｍ^２
本例の画像形成装置は、上記条件のユニットを装着し、フルカラー印刷モードに設定し、操作画面内に画質設定項目として「白抜け改善」を選択できるものであり、白抜け改善として、画像の線数を変更することができるものである。
【００８６】
図６は、本例の動作の流れを示すフローチャートである。上記画像形成装置で、実験例３と同様に、「白抜け改善」を選択した後（Ｓ１１）、テスト画像を印刷し（Ｓ１２）、テスト画像の各色パッチの白抜け値を算出した（Ｓ１３）。このときの白抜け値は、ブラック２．２０、マゼンタ１．４４、シアン１．７１、イエロー０.２０であった。
【００８７】
この結果に基づいて、線数を変更したテスト画像が印刷された（Ｓ１４／Ｎｏ、Ｓ１６、Ｓ１２）。つまり、これらの値はいずれも閾値Ａ以上であったため、条件変更及び調整が行われたということである。
【００８８】
その後、再度印刷されたテスト画像について、再度白抜け値の算出が行われた（Ｓ１３）。そのテスト画像の線数は、１０６線から８８線に減少し、また、白抜け値は、ブラック１.０９、マゼンタ０.２４、シアン０.３０、イエロー０.００となった。これらの値はいずれも閾値Ａより小さいため、条件変更が行われずに、白抜け改善設定が終了した。
【００８９】
その後に実際の画像の印刷を行った（Ｓ１５）。得られた画像は白抜けがない良好な画像であった。
【００９０】
なお、本例における、条件変更による白抜け状態の変化傾向（線数と白抜け状態の関係）を図７（ｄ）に示す。図７（ｄ）に示すように、条件変更前の各白抜け幅（イエロー以外）は破線で示す許容値（閾値）を超えていたが、条件変更後の調整により許容値内に収まったことが分かる。
【００９１】
〈実験例６〉
本例の画像形成装置は、実験例５と同じ条件のユニットを装着し、フルカラー印刷モードに設定し、操作画面内に画質設定項目として「白抜け改善」を選択できるものであり、白抜け改善として、感光体表面と現像スリーブ表面の間隔ＰＧを変更することができるものである。
【００９２】
図６は、本例の動作の流れを示すフローチャートである。上記画像形成装置で、実験例３と同様に、「白抜け改善」を選択した後（Ｓ１１）、テスト画像を印刷し（Ｓ１２）、テスト画像の各色パッチの白抜け値を算出した（Ｓ１３）。このときの白抜け値は、ブラック２．１０、マゼンタ１.２６、シアン１．４７、イエロー０.０３であった。
【００９３】
この結果に基づいて、イエロー以外は現像スリーブ軸の面板が動いて、感光体表面と現像スリーブ表面との間隔ＰＧを広げた（Ｓ１４／Ｎｏ、Ｓ１６）。つまり、これらの値はいずれも閾値Ａ以上であったため、条件変更及び調整が行われたということである。
【００９４】
この状態で適正な画像濃度が得られるように調整が行われると（Ｓ１６）、再びテスト画像が印刷された（Ｓ１２）。１回目のテスト画像印刷後と同様にテスト画像をコンタクトガラス上に置いて画像を読み込むと、操作表示部に白抜け値の算出及び白抜け状態判断が終了したことが表示された（Ｓ１３、Ｓ１４／Ｙｅｓ）。このときの白抜け値は、ブラック０.８７、マゼンタ１.００、シアン０.８４、イエロー０.０３であり、現像スリーブ表面と感光体表面との間隔ＤＧは、ブラック０.２５、マゼンタ０.２９、シアン０.２６となっていた。つまり、これらの値はいずれも閾値Ａより小さいため、条件変更が行われずに、白抜け改善設定が終了したということである。
【００９５】
その後に実際の画像の印刷を行った（Ｓ１５）。得られた画像は白抜けがない良好な画像であった。
【００９６】
なお、本例における、条件変更による白抜け状態の変化傾向（ＰＧと白抜け状態の関係）を図７（ｅ）に示す。図７（ｅ）に示すように、条件変更前の各白抜け幅（イエロー以外）は破線で示す許容値（閾値）を超えていたが、条件変更後の調整により許容値内に収まったことが分かる。
【００９７】
〈実験例７〉
本７の画像形成装置は、実験例５と同じ条件のユニットを装着し、フルカラー印刷モードに設定し、操作画面内に画質設定項目として「白抜け改善」を選択できるものであり、白抜け改善として、線数の変更手段と現像スリーブ回転数の変更手段とを有するものである。
【００９８】
図８は、本例の動作の流れを示すフローチャートである。上記画像形成装置で、実験例３と同様に、「白抜け改善」を選択した後（Ｓ２１）、テスト画像を印刷し（Ｓ２２）、テスト画像の各色パッチの白抜け値を算出した（Ｓ２３）。このときの白抜け値は、ブラック２．２６、マゼンタ１.４８、シアン１.３３、イエロー０.０１であった。
【００９９】
この結果に基づいて条件変更する段階で、操作表示部に「速度優先」と「画質優先」のどちらかを選択するように表示される（Ｓ２５）。ここでは、「速度優先」を選択した（Ｓ２５／Ｙｅｓ）。その後すぐに条件が変更され（Ｓ２７）、線数やディザ処理方法などが変更されたテスト画像が印刷された（Ｓ２２）。
【０１００】
１回目のテスト画像印刷後と同様にテスト画像をコンタクトガラス上に置いて画像を読み込むと、操作表示部に白抜け値の算出及び白抜け状態判断が終了したことが表示された（Ｓ２３、Ｓ２４／Ｙｅｓ）。この画像の線数は、１０６線から９４線に減少し、また、白抜け値は、ブラック１.１５、マゼンタ０.２６、シアン０.２７、イエロー０.００となった。つまり、これらの値はいずれも閾値Ａより小さいため、条件変更が行われずに、白抜け改善設定が終了したということである。
【０１０１】
その後に実際の画像の印刷を行った（Ｓ２８）。得られた画像は白抜けがない良好な画像であった。
【０１０２】
〈実験例８〉
実験例７と同じ画像形成装置を用い、テスト画像の白抜け値を算出するまでは実験例７と同様の操作を行った（Ｓ２１〜Ｓ２５）。
【０１０３】
次いで、テスト画像の白抜け値算出結果に基づいて条件変更をする段階で、「画質優先」を選択した。すると検出結果に基づいて、イエロー以外の現像スリーブモータの回転数が変更され、この状態で適正な画像濃度が得られるように調整が行われると（Ｓ２６）、再びテスト画像が印刷された（Ｓ２２）。
【０１０４】
１回目のテスト画像印刷後と同様に、そのテスト画像をコンタクトガラス上に置いて画像を読み込むと、操作表示部に白抜け値の算出及び白抜け状態判断が終了したことが表示された（Ｓ２３、Ｓ２４／Ｙｅｓ）。このときの白抜け値は、ブラック１.１７、マゼンタ０.６８、シアン０.６０、イエロー０.０１であり、現像スリーブの回転数は、ブラック３４５ｒｐｍ、マゼンタ４１０ｒｐｍ、シアン４１０ｒｐｍとなった。つまり、これらの値はいずれも閾値Ａより小さいため、条件変更が行われずに、白抜け改善設定が終了したということである。
【０１０５】
その後に実際の画像の印刷を行った（Ｓ２８）。得られた画像は白抜けがない良好な画像であった。
【０１０６】
なお、上記Ｓ２６では、例として現像スリープ回転数の変更としたが、ＤＧ、ＰＧなどの変更であってもよい。
【０１０７】
以上説明したように、本実施形態によれば以下の効果を奏する。
【０１０８】
本実施形態では、テスト画像を基にハーフトーン部からベタ部にかけての特性変化を検出し、検出結果に応じて画像形成条件を変更することにより、従来の方法に比べてより効果的に白抜け画像の発生を抑えることができる。また、白抜けのない画像を得るために、あらゆる状況を想定して、白抜けが発生しないような方向に条件を設定すると、他の画像品質や部品の耐久性などが悪化する方向になる場合があるが、本実施形態では、白抜けをなくしたい場合だけ条件を変更するため、他の画像品質の悪化や部品の劣化などの条件変更にともなう副作用を抑制することができる。
【０１０９】
また、本実施形態では、検出する特性変化を、画像濃度、明度、色特性のいずれかとすることにより、画像の見た目に近い白抜け状態を検出することができるため、見た目で白抜けが発生していると感じるような画像の場合に、白抜けが発生しにくい方向へ条件を変更することができる。そのため、他の画像品質の悪化や部品の劣化などの条件変更にともなう副作用を抑制することができる。
【０１１０】
また、本実施形態では、変更する画像形成条件を、現像スリーブ回転数（あるいは現像スリーブ表面と感光体表面との線速比Ｖｐ／Ｖｓ）、現像スリーブ表面と現像剤規制部材先端との間隔ＤＧ、現像剤スリーブ表面と感光体表面との間隔ＰＧのいずれかとすることにより、白抜け状態改善への効果が大きくなる。そのため、これら条件を変更することにより、少しの条件変更で白抜けのない画像を得ることができる。
【０１１１】
また、本実施形態では、条件変更項目が複数あり、優先する項目をユーザが選択できることにより、副作用を伴う条件変更であっても、利用者が望まない副作用を抑えることができる。
【０１１２】
〔第２の実施形態〕
第２の実施形態について説明する。本実施形態の画像形成装置は、出力対象の画像形成の前に、推定画像のハーフトーン部からベタ部にかけての特性変化に応じて、画像形成条件を変更することを特徴とする。上記推定画像とは、ハーフトーン画像とベタ画像を隣接配置したテスト潜像をトナーで可視化し、そのトナー像を記録材へ転写する前に検出し、トナー像と記録材の特性値を基に記録材上に転写されたトナー像として推定された画像である。
【０１１３】
〈テスト潜像の構成〉
本実施形態の画像形成装置で用いられるテスト潜像は、図１を用いて説明した上記第１の実施形態のテスト画像と同様であるので、ここでの説明は省略する。
【０１１４】
〈テスト潜像のトナー像作成とトナー像検出〉
テスト潜像のトナー像の作成は、実際の画像を印刷する前に実施される。テスト潜像の作成指示は、画像形成装置に設けられた操作表示部において、指示ボタンや操作画面内の項目選択などからユーザが行う。
【０１１５】
検出するトナー像は、記録材転写前のものであり、静電潜像担持体上、又は、中間転写体上で、トナー像検出手段により検出される。トナー像検出手段としては、一例としてＣＣＤがあるが、これに限らずトナー像を確認できるものならば何でもよい。
【０１１６】
〈記録材情報の入手〉
記録材情報は、トナー像の検出と同様に、ＣＣＤカメラなどで記録材画像として取り込むことができる。また、記録材の特性値を入力する、あるいは、あらかじめ画像形成装置に記憶させることもできる。この場合の記録材の特性値としては、画像濃度、反射率、明度、光沢度、色特性などがある。
【０１１７】
〈記録材上のトナー像の推定〉
ＣＣＤで取り込んだテスト潜像のトナー像は、２値化することにより、ベタ画像と網点部のドット画像となる。さらに、記録材情報に基づいて、トナー像以外の背景を記録材に置き換えることができる。このようにして記録材上のトナー像として、出力される画像を推定できる。以下、この画像を推定画像という。
【０１１８】
〈推定画像の白抜け状態把握〉
推定画像の白抜け状態は、ハーフトーン部からベタ部にかけての特性値変化を検出することにより把握する。特性値としては、画像濃度、反射率、明度、光沢度、色特性などがあるが、特に色特性が、フルカラー画像形成装置に適し、また、見た目の状態に近い結果となりやすいことから好ましい。
【０１１９】
ここで、白抜け状態の検出方法について例をあげて説明する。
【０１２０】
［画像濃度変化から白抜け状態を検出する方法の例］
ベタエッジ部分を含むハーフトーン部をＣＣＤで撮影し、この画像を読み込み、記録材上のトナー像として画像処理して推定画像とする。その後、網点はローパスフィルタで除去する。次いでエッジ部の傾きを補正し、エッジストローク方向に画像を平均化（一次元化）し、これを図２−１（ｂ）のように画像濃度分布に変換する。この分布から、白抜け状態を判断する。本実施形態では、白抜け幅Ｗ（白抜け値）を読み取る。なお、この方法は、モノクロ画像を白色記録材上に出力する場合に適している。
【０１２１】
［明度変化から白抜け状態を検出する方法の例］
ベタエッジ部分を含むハーフトーン部をＣＣＤで撮影し、この画像を読み込み、記録材上のトナー像として画像処理して推定画像とする。その後、網点はローパスフィルタで除去する。次いでエッジ部の傾きを補正し、エッジストローク方向に画像を平均化（一次元化）し、これを図２−２（ｂ）のように明度分布に変換する。この分布から、白抜け状態を判断する。本実施形態では、白抜け面積ＳL（白抜け値）を算出する。なお、この方法は、フルカラー画像を白色記録材上に出力する場合に適している。
【０１２２】
［色特性変化から白抜け状態を検出する方法の例］
ベタエッジ部分を含むハーフトーン部をＣＣＤで撮影し、この画像を読み込み、記録材上のトナー像として画像処理して推定画像とする。その後、網点はローパスフィルタで除去する。次いでエッジ部の傾きを補正し、エッジストローク方向に画像を平均化（一次元化）し、これを明度と色相のそれぞれの分布に変換する。さらにこれを図２−３の（ｂ）のようにハーフトーン部の明度、色相が安定している部分に対する色差の分布で表し、この分布から白抜け状態を判断する。さらにこれを、記録材との色差の分布で表し、この分布から白抜け状態を判断する。本実施形態では、白抜け面積ＳE（白抜け値）を算出する。なお、この方法は、フルカラー画像を有彩色の記録材上に出力する場合に適している。
【０１２３】
以上のように検出された結果（白抜け値）は、例えば、ユーザによる操作表示部からのテンキー入力や、通信等による画像形成装置への自動読み込みなどにより、画像形成装置の制御部に認識される。制御部は、例えば、検出された白抜け値を予め定められた値（閾値）と比較し、白抜け状態が悪いかどうかを判断する。
【０１２４】
例えば、検出された白抜け値が閾値を上回るなどして、白抜け状態が悪いと判断された場合には、白抜けを改善するための条件（画像形成条件の一例）の変更が実施される。ここで、変更される条件としては、例えば、現像スリーブと感光体との線速比、感光体表面と現像スリーブ表面と距離（ＰＧ）、現像スリーブ表面と現像剤規制部材との間隔（ＤＧ）、画像の線数、ディザ処理の方法、などがある。これら各条件については、上記第１の実施形態で説明したものと同様であるので、ここでの説明は省略する。
【０１２５】
なお、上記各条件は、１種類あればよいが、複数種類ある方が好ましく、場合により条件をユーザが選択できることが好ましい。条件変更によっては、何らかの副作用を伴うこともあるが、ユーザが、変更する条件を選択できることにより、ユーザが避けたい副作用をできるだけ少なくして、白抜け発生を抑えた画像を得ることができる。条件変更がユーザにより設定されると、必要に応じて変更後の条件に合わせた調整（トナー濃度調整や付着量調整など）が行われる。その後、そのまま実際の画像を印刷することが可能であるが、その前に、条件変更後の状態でテスト画像を印刷し、白抜け状態を確認してもよい。
【０１２６】
以下、本実施形態の画像形成装置を用いて行った各実験例について、図９を参照して説明する。なお、以下の各例で使用された本実施形態の画像形成装置は、この評価までに様々な画像を印刷してきたものであり、白抜け状態は初期から変化しているものもあれば、ほとんど変化していないものもある。
【０１２７】
〈実験例９〉
現像スリーブ径  ３０ｍｍ
現像スリーブ回転数  ５３５ｒｐｍ
感光体径  ７０ｍｍ
感光体回転数  １１５ｒｐｍ
現像スリーブ表面と現像剤規制部材端部との間隔ＤＧ  ０.４ｍｍ
感光体表面と現像スリーブ表面の距離ＰＧ  ０.４ｍｍ
本例１の画像形成装置は、上記条件のユニットを装着し、モノクロ印刷モードに設定し、操作画面内に画質設定項目として「白抜け改善」を選択できるものであり、白抜け改善として、現像スリーブの回転数を変更することができるものである。
【０１２８】
この画像形成装置で、記録材Ａ（白色紙、ＩＤ：０．０６５）に画像を印刷する前に、機械の操作画面内の画質設定画面から「白抜け改善」項目を選択して、調整を行った。このとき、中間転写体上には図１（ｃ）の画像を得るための潜像から得られたトナー像が転写され、これをＣＣＤカメラで読み取っている。また、記録材情報もＣＣＤカメラから読み込んでいる。読み取ったトナー像は２値化され、記録材情報と合わせてトナー像以外の部分を記録材で置き換えられた推定画像として処理される。この推定画像のハーフトーン部からベタ部にかけてのＩＤ変化から、白抜け幅Ｗが算出され、０．４９ｍｍであった。
【０１２９】
白抜け幅検出結果に基づき、条件変更が行われる。なお、この機械の条件変更は現像スリーブの回転数を変更するものであり、条件変更後の現像スリーブ回転数は４５５ｒｐｍとなっていた。この回転数で適正な画像濃度が得られるような調整を行った後に、記録材Ａに図１（ｃ）の画像を印刷すると、得られた画像は白抜けが目立たない良好な画像であった。この画像の白抜け幅を測定すると０．２８ｍｍであった。
【０１３０】
なお、本例における、条件変更による白抜け状態の変化傾向（線速比（現像スリーブ回転数）と白抜け状態の関係）を図９（ａ）に示す。図９（ａ）に示すように、条件変更前の白抜け幅（ブラック）は破線で示す許容値（閾値）を超えていたが、条件変更後の調整により許容値内に収まったことが分かる。
【０１３１】
〈実験例１０〉
現像スリーブ径  ２５ｍｍm
現像スリーブ回転数  ３９２ｒｐｍ
感光体径  ６０ｍｍ
感光体回転数  ９０ｒｐｍ
現像スリーブ表面と感光体表面との間隔ＰＧ  ０.３ｍｍ
現像スリーブ表面と現像剤規制部材表面の間隔ＤＧ  ０.３２ｍｍ
現像スリーブ上の現像剤量  ４０ｍｇ／ｃｍ^２
本例の画像形成装置は、上記条件のユニットを装着し、フルカラー印刷モードに設定し、操作画面内に画質設定項目として「白抜け改善」を選択できるものであり、白抜け改善として、現像スリーブの回転数を色毎に変更することができるものである。
【０１３２】
この画像形成装置で、記録材Ｂ（白紙、Ｌ*：９４．４６、ａ*：１．５６、ｂ*：−３．１８）に画像を印刷する前に、機械の操作画面内の画質設定画面から「白抜け改善」項目を選択して、調整を行った。この時、中間転写体上には図１（ｄ）の画像を得るための潜像から得られたトナー像が転写され、これをＣＣＤカメラで読み取っている。また、記録材情報もＣＣＤカメラから読み込んでいる。読み取ったトナー像情報と記録材情報とを合わせて、トナー像以外の部分を記録材で置き換えられた推定画像として処理される。
【０１３３】
この推定画像の各色のハーフトーン部からベタ部にかけての明度分布から、各色の白抜け面積ＳＬが算出される。各色の白抜け面積ＳＬは、ブラック１.８０、マゼンタ１.２４、シアン１.３５、イエロー０.０６であった。
【０１３４】
白抜け面積検出結果に基づき条件変更が行われ、変更後の現像スリーブ回転数は、ブラック３１４ｒｐｍ、マゼンタ３８８ｒｐｍ、シアン３８８ｒｐｍ、イエロー３９２ｒｐｍ（変更なし）となっていた。
【０１３５】
この回転数で適正な画像濃度が得られるような調整を行った後に、記録材Ｂに図１（ｄ）の画像を印刷すると、得られた画像は白抜けが目立たない良好な画像であった。この画像の各色の白抜け面積ＳＬを測定すると、ブラック０.９３、マゼンタ０.８９、シアン０.９０、イエロー０.０６であった。
【０１３６】
なお、本例における、条件変更による白抜け状態の変化傾向（線速比（現像スリーブ回転数）と白抜け状態の関係）を図９（ｂ）に示す。図９（ｂ）に示すように、条件変更前の白抜け幅（イエロー以外）は破線で示す許容値（閾値）を超えていたが、条件変更後の調整により許容値内に収まったことが分かる。
【０１３７】
〈実験例１１〉
現像スリーブ径  ２５ｍｍ
現像スリーブ回転数  ４３０ｒｐｍ
感光体径  ６０ｍｍ
感光体回転数  １１２ｒｐｍ
現像スリーブ表面と感光体表面との間隔ＰＧ  ０.３ｍｍ
現像スリーブ表面と現像剤規制部材表面の間隔ＤＧ  ０.３８ｍｍ
現像スリーブ上の現像剤量  ３８ｍｇ／ｃｍ^２
本例の画像形成装置は、上記条件のユニットを装着し、フルカラー印刷モードに設定し、操作画面内に画質設定項目として「白抜け改善」を選択できるものであり、白抜け改善として、現像剤規制部材先端と現像スリーブ表面との間隔を色毎に変更することができるものである。
【０１３８】
この画像形成装置で、記録材Ｂに画像を印刷する前に、実験例１１と同様に「白抜け改善」の画質調整を行い、推定画像の白抜け状態を検出した。各色の白抜け面積ＳＬはブラック２.１１、マゼンタ１.０５、シアン１.６５、イエロー０.０９であった。
【０１３９】
白抜け面積検出結果に基づき条件変更が行われ、変更後の現像剤規制部材先端と現像スリーブ表面との間隔ＤＧは、ブラック０.４３ｍｍ、シアン０.４０ｍｍとなり、マゼンタとイエローは変更されなかった。
【０１４０】
この条件で適正な画像濃度が得られるような調整を行った後に、記録材Ｂに図１（ｄ）の画像を印刷すると、得られた画像は白抜けが目立たない良好な画像であった。この画像の各色の白抜け面積ＳＬを測定すると、ブラック１.０７、マゼンタ１.０４、シアン１.０８、イエロー０.０８であった。
【０１４１】
なお、本例における、条件変更による白抜け状態の変化傾向（ＤＧと白抜け状態の関係）を図９（ｃ）に示す。図９（ｃ）に示すように、条件変更前の白抜け幅（ブラック、シアン）は破線で示す許容値（閾値）を超えていたが、条件変更後の調整により許容値内に収まったことが分かる。
【０１４２】
〈実験例１２〉
本例の画像形成装置は、実験例１１と同じ条件のユニットを装着し、フルカラー印刷モードに設定し、操作画面内に画質設定項目として「白抜け改善」を選択できるものであり、白抜け改善として、感光体表面と現像スリーブ表面の間隔ＰＧを変更することができるものである。
【０１４３】
この画像形成装置で、記録材Ｂに画像を印刷する前に、実験例１１と同様に「白抜け改善」の画質調整を行い、推定画像の白抜け状態を検出した。各色の白抜け面積ＳＬはブラック２.０６、マゼンタ１.０２、シアン１.６６、イエロー０.０９であった。
【０１４４】
白抜け面積検出結果に基づき条件変更が行われ、変更後の感光体表面と現像スリーブ表面の間隔ＰＧは、ブラック０.２５ｍｍ、シアン０.２７ｍｍとなり、マゼンタとイエローは変更されなかった。
【０１４５】
この条件で適正な画像濃度が得られるような調整を行った後に、記録材Ｂに図１（ｄ）の画像を印刷すると、得られた画像は白抜けが目立たない良好な画像であった。この画像の各色の白抜け面積ＳＬを測定すると、ブラック０.９２、マゼンタ１.０３、シアン０.９７、イエロー０.０８であった。
【０１４６】
なお、本例における、条件変更による白抜け状態の変化傾向（ＰＧと白抜け状態の関係）を図９（ｄ）に示す。図９（ｄ）に示すように、条件変更前の白抜け幅（ブラック、シアン）は破線で示す許容値（閾値）を超えていたが、条件変更後の調整により許容値内に収まったことが分かる。
【０１４７】
〈実験例１３〉
実験例１２と同じ画像形成装置で、記録材Ｃ（薄青色、Ｌ*：、ａ*：、ｂ*：）に画像を印刷する前に、実験例１２と同様に「白抜け改善」の画質調整を行い、推定画像の白抜け状態を検出した。各色の白抜け面積ＳＥは、ブラック２.０５、マゼンタ１.７２、シアン０.９８、イエロー１.９１であった。
【０１４８】
白抜け面積検出結果に基づき条件変更が行われ、変更後の感光体表面と現像スリーブ表面の間隔ＰＧは、ブラックと マゼンタとイエローが０.２４ｍｍとなり、シアンは変更されなかった。
【０１４９】
この条件で適正な画像濃度が得られるような調整を行った後に、記録材Ｃに図１（ｄ）の画像を印刷すると、得られた画像は白抜けが目立たない良好な画像であった。この画像の各色の白抜け面積ＳＥを測定すると、ブラック０.９５、マゼンタ０.７８、シアン０.９８、イエロー１.２４であった。
【０１５０】
記録材が白色紙から有彩色紙に変わったことにより、同じ状態の機械でも白抜けの目立ち方が異なる。このような場合にも、本発明の方法ならば実画像の目立ち方に応じた調整ができるため、目立たない色までも条件を変更することがない。
【０１５１】
なお、本例における、条件変更による白抜け状態の変化傾向（ＰＧと白抜け状態の関係）を図９（ｅ）に示す。図９（ｅ）に示すように、条件変更前の白抜け幅（シアン以外）は破線で示す許容値（閾値）を超えていたが、条件変更後の調整により許容値内に収まったことが分かる。
【０１５２】
〈実験例１４〉
本例の画像形成装置は、実験例１３と同じ条件のユニットを装着し、フルカラー印刷モードに設定し、操作画面内に画質設定項目として「白抜け改善」を選択できるものであり、白抜け改善として、２つの変更手段を選択できるようになっている。ひとつは線数の変更で、「速度優先」を選択するとこちらの変更から実施する。もうひとつはスリーブ回転数の変更で、「画質優先」を選択するとこちらの変更から実施する。
【０１５３】
この画像形成装置で記録材Ｃに画像を印刷する前に、「白抜け改善」項目のうち「速度優先」を選択して実験例１３と同様に白抜け改善の画質調整を行い、推定画像の白抜け状態を検出した。各色の白抜け面積ＳＥは、ブラック２.０３、マゼンタ１.７３、シアン０.９８、イエロー１.８８であった。
【０１５４】
白抜け面積検出結果に基づき条件変更が行われ、画像の線数を１０６線から９４線に減少するようにした。この変更の場合は、変更後に適正な画像濃度が得られるような調整を行う必要がないため、実画像を得るまでの時間が短くできる。
【０１５５】
この条件で記録材Ｃに図１（ｄ）の画像を印刷すると、得られた画像は白抜けが目立たない良好な画像であった。この画像の各色の白抜け面積ＳＥを測定すると、ブラック０.９３、マゼンタ０.７６、シアン０.５５、イエロー１.２５であった。
【０１５６】
なお、本例における、条件変更による白抜け状態の変化傾向（線数と白抜け状態の関係）を図９（ｆ）に示す。図９（ｆ）に示すように、条件変更前の白抜け幅（シアン以外）は破線で示す許容値（閾値）を超えていたが、条件変更後の調整により許容値内に収まったことが分かる。
【０１５７】
以上説明したように、本実施形態によれば以下の効果を奏する。
【０１５８】
本実施形態では、推定画像を基にハーフトーン部からベタ部にかけての特性変化を検出し、検出結果に応じて画像形成条件を変更することにより、従来の方法に比べてより効果的に白抜け画像の発生を抑えることができる。また、本実施形態では、白抜けが発生し、かつ目立つ場合だけ条件を変更するため、白抜け抑制に対して過剰な設定をする必要がなく、条件変更にともなう白抜け以外の画像品質の悪化や部品の劣化などの副作用を抑制することができる。また、記録材上のトナー像の状態を推定できるため、実画像を出力しなくてよい。
【０１５９】
また、本実施形態では、検出する特性変化を、画像濃度、明度、色特性のいずれかとすることにより、画像の見た目に近い白抜け状態を検出することができるため、見た目で白抜けが発生していると感じるような画像の場合に、白抜けが発生しにくい方向へ条件を変更することになる。そのため、白抜け以外の画像品質の悪化や部品の劣化などの条件変更にともなう副作用を抑制することができる。
【０１６０】
また、本実施形態では、変更する画像形成条件を、現像スリーブ回転数（あるいは現像スリーブ表面と感光体表面との線速比Ｖｐ／Ｖｓ）、現像スリーブ表面と現像剤規制部材先端との間隔、現像剤スリーブ表面と感光体表面との間隔のいずれかとすることにより、上記各条件は白抜け状態改善への効果が大きいため、少しの条件変更で白抜けのない、あるいは目立たない画像を得ることができる。
【０１６１】
また、本実施形態では、記録材が有彩色の場合に、記録材転写前のトナー像の背景を記録材の特性（特に色特性）に変更した推定画像とすることにより、トナー像だけでは判断しにくい実画像の白抜け状態（白抜けの目立ち方）を判断できる。その結果、記録材が何に変わっても、最低限の条件変更で白抜けの目立たない画像を得ることができる。
【０１６２】
また、本実施形態では、条件変更項目が複数あり、優先する項目をユーザが選択できることにより、副作用を伴う条件変更であっても、利用者が望まない副作用を抑えることができる。
【０１６３】
以上、本発明の各実施形態について説明したが、上記各実施形態に限定されるものではなく、その要旨を逸脱しない範囲において種々の変形が可能である。
【０１６４】
例えば、上述した実施形態における動作は、ハードウェア、または、ソフトウェア、あるいは、両者の複合構成によって実行することも可能である。
【０１６５】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【０１６６】
例えば、プログラムは、記録媒体としてのハードディスクやＲＯＭ（Read Only Memory）に予め記録しておくことが可能である。あるいは、プログラムは、ＣＤ−ＲＯＭ（Compact Disc Read Only Memory），ＭＯ（Magneto optical）ディスク，ＤＶＤ（Digital Versatile Disc）、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【０１６７】
なお、プログラムは、上述したようなリムーバブル記録媒体からコンピュータにインストールする他、ダウンロードサイトから、コンピュータに無線転送してもよい。または、ＬＡＮ（Local Area Network）、インターネットといったネットワークを介して、コンピュータに有線で転送してもよい。コンピュータでは、転送されてきたプログラムを受信し、内蔵するハードディスク等の記録媒体にインストールすることが可能である。
【０１６８】
また、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【０１６９】
１、１ａ、１ｂ、１ｃ、１ｄ    感光体
２    クリーニング装置
３    帯電装置
４    露光装置
５    現像装置
１０    中間転写ベルト
１１、１２、１３    ローラ
２０    第１の転写手段
２５    クリーニング装置
２６−１、２６−２    給紙装置
２７    給紙ローラ
２８    レジストローラ対
２９    ガイド
３０    定着用加熱手段
３１    排紙ガイド対
３２    排紙ローラ対
４０    排紙スタック部
５０    フレーム
５０Ａ    開閉支軸
６０    画像読取手段
６１    自動原稿送り装置
６２    コンタクトガラス
６３    露光ランプ
６４    反射ミラー
６５    アレイ
６６    支持部
１００    裏面用中間転写ベルト
１１１、１１２、１１３    回転ローラ
１２０    第２の転写手段
２５０    裏面用中間転写ベルト用クリーニング装置
Ｌ    除電装置
Ｐ    用紙
ＣＨ    チャージャ
ＴＣ    カートリッジ
ＴＳ    収納部
【先行技術文献】
【特許文献】
【０１７０】
【特許文献１】特開２０００−１７２０７８号公報
【特許文献２】特開２００４−１０１６４０号公報
【特許文献３】特開平１１−１９６２７７号公報
【図１】
2011059625.tif 000003
【図２】
2011059625.tif 000004
【図３】
2011059625.tif 000005
【図４】
2011059625.tif 000006
【図５】
2011059625.tif 000007
【図６】
2011059625.tif 000008
【図７】
2011059625.tif 000009
【図８】
2011059625.tif 000010
【図９】
2011059625.tif 000011
【図１０】
2011059625.tif 000012